(57)【要約】【課題】法規に適合しながら、ランフラット耐久性を向上させる。【解決手段】  サイドウォール部の外側面にディンプル形成領域を設けたランフラットタイヤにおいて、ディンプルフィン形成領域とリムラインとの間に、１以上の表示部が形成される表示部形成領域を具える。前記表示部形成領域内、しかも前記表示部の半径方向内側、外側、又は表示部間に、冷却用の補助ディンプルからなる補助ディンプル形成部を設けた。【選択図】図３
2014037215.tif 000002
【特許請求の範囲】
【請求項１】
トレッド部から両側のサイドウォール部をへてビード部のビードコアに至るカーカスと、前記カーカスの内側かつ前記サイドウォール部に配される断面三日月状のサイド補強ゴム層とを具えるランフラットタイヤであって、
リムラインよりもタイヤ半径方向外側かつ前記サイドウォール部の外表面に、
冷却用のディンプルがタイヤ周方向に並ぶディンプル列が１列以上形成されたディンプル形成領域、
及び前記ディンプル形成領域と前記リムラインとの間に配され、かつ文字、記号、図形からなるマーキングを組み合わせた１以上の表示部が形成される表示部形成領域を具えるとともに、
前記表示部形成領域内、しかも前記表示部の半径方向内側 、外側、又は表示部間に、冷却用の補助ディンプルからなる補助ディンプル形成部を設けたことを特徴とするランフラットタイヤ。
【請求項２】
前記補助ディンプルは、サイドウォール部の外表面での開口形状が円形状であり、かつその直径を２〜２０mm、かつ深さを０．５〜３．０mmとしたことを特徴とする請求項１記載のランフラットタイヤ。
【請求項３】
前記補助ディンプルは、サイドウォール部の外表面での開口形状が正方形状であり、かつその一辺の長さを２〜２０mm、かつ深さを０．５〜３．０mmとしたことを特徴とする請求項１記載のランフラットタイヤ。
【請求項４】
前記補助ディンプルは、サイドウォール部の外表面での開口形状が長方形状であり、かつそのタイヤ半径方向の一辺の長さを２〜２０mm、タイヤ周方向の一辺の長さをタイヤ半径方向の一辺よりも大かつ２〜２０mm、しかも深さを０．５〜３．０mmとしたことを特徴とする請求項１記載のランフラットタイヤ。
【請求項５】
前記補助ディンプル形成部は、前記補助ディンプルがタイヤ周方向に並ぶ補助ディンプル列部をタイヤ半径方向に２列以上具えるとともに、
タイヤ半径方向に隣り合う補助ディンプル列部は、補助ディンプルの配列の位相がタイヤ周方向に位置ずれしていることを特徴とする請求項１記載のランフラットタイヤ。
【請求項６】
前記補助ディンプル形成部は、サイドウォール部の外表面での開口形状が円形状の補助ディンプルからなる円形補助ディンプル形成部、開口形状が正方形状の補助ディンプルからなる正方形補助ディンプル形成部、及び開口形状が長形状の補助ディンプルからなる長方形補助ディンプル形成部のうちの２種以上を具えることを特徴とする請求項１〜５の何れかに記載のランフラットタイヤ。
【請求項７】
前記補助ディンプルは、この補助ディンプルに最も近いマーキングとの間隔が１mm以上であることを特徴とする請求項１〜６の何れかに記載のランフラットタイヤ。
【発明の詳細な説明】
【技術分野】
【０００１】
本発明は、ランフラット耐久性能を向上させたランフラットタイヤに関する。
【背景技術】
【０００２】
例えば、パンク等によりタイヤ内の空気が抜けた状態においても比較的長距離を走行しうるランフラットタイヤが種々提案されている。代表的なものとしては、サイドウォール部に、断面三日月状のサイド補強ゴム層が設けられたサイド補強タイプのものが知られている。
【０００３】
しかしながら、ランフラットタイヤといえども、ランフラット走行時のサイドウォール部は大きな屈曲歪を受け、走行距離及び／又は速度の増加とともに発熱し、サイド補強ゴム層の破壊等が生じて走行不能に陥る場合がある。
【０００４】
そこで、近年、サイドウォール部の外表面に、凹状の窪みであるディンプルを複数設けたランフラットタイヤが提案されている（例えば特許文献１参照）。このようなランフラットタイヤは、前記ディンプルにより、サイドウォール部の表面積を増大させうる。又走行中、ディンプル表面で乱流を発生させ、より冷たい空気をサイドウォール部の表面に接触させうる。そしてこれらの相乗効果により、放熱効果を高めることができる。
【０００５】
そして本発明者の研究の結果、ランフラット走行時、ビード部側での蓄熱が致命的である場合が多く、よりビード部側にディンプルやフィンを形成することで、ランフラット耐久性を向上しうることを究明し得た。
【０００６】
しかしながら空気入りタイヤにおいては、タイヤを販売する地域の法規に合致するために、サイドウォール部のビード部側の場所に、前記法規によって表記が義務付けられた法規表示部を形成する必要がある。そのため空気入りタイヤでは、前記法規表示部を含む表示部を、前記サイドウォール部のビード部側にまとめて形成されている。
【０００７】
その結果、ディンプルやフィンをビード部側に形成することが難しくなり、ランフラット耐久性のさらなる向上の妨げとなっている。
【先行技術文献】
【特許文献】
【０００８】
【特許文献１】特開２００９−２９８３９７号公報
【発明の概要】
【発明が解決しようとする課題】
【０００９】
そこで本発明は、表示部が形成される表示部形成領域内、しかも表示部の半径方向内側 、外側、又は表示部間に、冷却用の補助ディンプルからなる補助ディンプル形成部を設けることを基本として、ビード部側の放熱効果を高め、ランフラット耐久性をより向上しうるランフラットタイヤを提供することを目的としている。
【課題を解決するための手段】
【００１０】
上記課題を解決するために、本願請求項１の発明は、トレッド部から両側のサイドウォール部をへてビード部のビードコアに至るカーカスと、前記カーカスの内側かつ前記サイドウォール部に配される断面三日月状のサイド補強ゴム層とを具えるランフラットタイヤであって、
リムラインよりもタイヤ半径方向外側かつ前記サイドウォール部の外表面に、
冷却用のディンプルがタイヤ周方向に並ぶディンプル列が１列以上形成されたディンプル形成領域、
及び前記ディンプル形成領域と前記リムラインとの間に配され、かつ文字、記号、図形からなるマーキングを組み合わせた１以上の表示部が形成される表示部形成領域を具えるとともに、
前記表示部形成領域内、しかも前記表示部の半径方向内側 、外側、又は表示部間に、冷却用の補助ディンプルからなる補助ディンプル形成部を設けたことを特徴としている。
【００１１】
また請求項２では、前記補助ディンプルは、サイドウォール部の外表面での開口形状が円形状であり、かつその直径を２〜２０mm、かつ深さを０．５〜３．０mmとしたことを特徴としている。
【００１２】
また請求項３では、前記補助ディンプルは、サイドウォール部の外表面での開口形状が正方形状であり、かつその一辺の長さを２〜２０mm、かつ深さを０．５〜３．０mmとしたことを特徴としている。
【００１３】
また請求項４では、前記補助ディンプルは、サイドウォール部の外表面での開口形状が長方形状であり、かつそのタイヤ半径方向の一辺の長さを２〜２０mm、タイヤ周方向の一辺の長さをタイヤ半径方向の一辺よりも大かつ２〜２０mm、しかも深さを０．５〜３．０mmとしたことを特徴としている。
【００１４】
また請求項５では、前記補助ディンプル形成部は、前記補助ディンプルがタイヤ周方向に並ぶ補助ディンプル列部をタイヤ半径方向に２列以上具えるとともに、
タイヤ半径方向に隣り合う補助ディンプル列部は、補助ディンプルの配列の位相がタイヤ周方向に位置ずれしていることを特徴としている。
【００１５】
また請求項６では、前記補助ディンプル形成部は、サイドウォール部の外表面での開口形状が円形状の補助ディンプルからなる円形補助ディンプル形成部、開口形状が正方形状の補助ディンプルからなる正方形補助ディンプル形成部、及び開口形状が長形状の補助ディンプルからなる長方形補助ディンプル形成部のうちの２種以上を具えることを特徴としている。
【００１６】
また請求項７では、前記補助ディンプルは、この補助ディンプルに最も近いマーキングとの間隔が１mm以上であることを特徴としている。
【００１７】
なお本明細書では、特に断りがない限り、タイヤの各部の寸法等は、非リム組状態において、タイヤサイズで規定されるリム巾に合わせてビード部を保持したときに特定される値とする。
【発明の効果】
【００１８】
本発明は叙上の如く、ディンプル形成領域の半径方向内側に設けられる表示部形成領域内において、表示部の半径方向内側、外側、又は表示部間に生じる空きスペースを利用する。即ち、この空きスペースに、冷却用の補助ディンプルからなる補助ディンプル形成部を設けている。
【００１９】
この補助ディンプル形成部によりビード部側の放熱効果を高めることができ、販売する地域の法規に適合しながら、ランフラット耐久性をより向上させることが可能となる。
【図面の簡単な説明】
【００２０】
【図１】本発明のランフラットタイヤの一実施例を示す断面図である。
【図２】図１の部分拡大図である。
【図３】サイドウォール部の外表面を示す部分側面図である。
【図４】（Ａ）、（Ｂ）はディンプルの一例を示す正面図、及び断面図である。
【発明を実施するための形態】
【００２１】
以下、本発明の実施の形態について、詳細に説明する。
図１に示されるように、本実施形態のランフラットタイヤ１は、トレッド部２から両側のサイドウォール部３をへてビード部４のビードコア５に至るカーカス６と、このカーカス６の内側かつ前記サイドウォール部３に配される断面三日月状のサイド補強ゴム層１０とを具える。
【００２２】
前記カーカス６は、カーカスコードをタイヤ周方向に対して例えば７５゜〜９０゜の角度で配列した１枚以上、本例では１枚のカーカスプライ６Ａから形成される。このカーカスプライ６Ａは、前記ビードコア５、５間に跨るトロイド状のプライ本体部６ａと、その両端に連なりかつ前記ビードコア５の廻りでタイヤ軸方向内側から外側に折り返されるプライ折返し部６ｂとを有する。前記プライ本体部６ａとプライ折返し部６ｂとの間には、ビードエーペックスゴム８が配置される。
【００２３】
前記ビードエーペックスゴム８は、前記ビードコア５からタイヤ半径方向外側に先細状にのびる断面三角形状をなす。ビードエーペックスゴム８は高弾性のゴムからなり、ビード部４からサイドウォール部３にかけて補強する。なお前記プライ折返し部６ｂは、前記ビードエーペックスゴム８の外端を超えてタイヤ半径方向外側に延在する。本例のプライ折返し部６ｂのタイヤ半径方向外端部は、カーカス６とベルト層７との間に挟まれて終端する。これにより、タイヤ剛性が高まり、ランフラット走行時の操縦安定性と耐久性との確保に貢献する。
【００２４】
前記ベルト層７は、カーカス６のタイヤ半径方向外側かつトレッド部２の内部に配される。前記ベルト層７は、ベルトコードをタイヤ周方向に対して例えば１０〜３５゜程度で配列した２枚以上、本例では２枚のベルトプライ７Ａ、７Ｂから形成される。ベルト層７では、各ベルトコードがプライ間相互で交差する。これによりベルト剛性が高まり、トレッド部２の略全巾が、タガ効果を有して補強される。
【００２５】
本例では、高速耐久性を高める目的で、前記ベルト層７のタイヤ半径方向外側にバンド層９が形成される。前記バンド層９は、バンドコードを周方向に対して５度以下の角度で螺旋状に巻回させた１枚以上のバンドプライ９Ａから形成される。バンドプライ９Ａとして、前記ベルト層７のタイヤ軸方向外端部のみを被覆する左右一対のエッジバンドプライ９Ａａ、及びベルト層７の略全巾を覆うフルバンドプライ９Ａｂが適宜使用できる。本例では、バンド層９が、一対のエッジバンドプライ９Ａａと１枚のフルバンドプライ９Ａｂとから形成される場合が例示される。
【００２６】
前記サイド補強ゴム層１０は、最大厚さＴｍを有する中央部からタイヤ半径方向内外に向かって厚さが漸減してのびる断面三日月状をなす。本例のサイド補強ゴム層１０のタイヤ半径方向外端部１０Ｅ１は、前記ベルト層７のタイヤ軸方向外端を超えてタイヤ軸方向内側にのびる。これによりベルト層７との重複部Ｙ１が形成される。又サイド補強ゴム層１０のタイヤ半径方向内端部１０Ｅ２は、前記ビードエーペックスゴム８の外端を超えてタイヤ半径方向内側にのびる。これによりビードエーペックスゴム８との重複部Ｙ２が形成される。
【００２７】
この重複部Ｙ１、Ｙ２により、前記サイド補強ゴム層１０による補強効果がいっそう高められ、ランフラット走行時の操縦安定性と耐久性とが確保される。そのためには、前記重複部Ｙ１、Ｙ２の重複巾Ｗｙ１、Ｗｙ２は５〜５０ｍｍの範囲が好ましい。５ｍｍ未満ではサイド補強ゴム層１０が効果的に機能し難く、逆に５０ｍｍを超えると、タイヤ質量が不必要に増加し、燃費性に悪影響を及ぼす。従って重複巾Ｗｙ１、Ｗｙ２の下限は１０ｍｍ以上が好ましく、上限は４０ｍｍ以下が好ましい。
【００２８】
ランフラット走行時、サイド補強ゴム層１０には圧縮荷重が作用し、逆にサイド補強ゴム層１０に隣接するカーカスプライ本体部６ａには引張り荷重が作用する。この時、サイド補強ゴム層１０はゴム塊なので、圧縮荷重に十分に耐えうる。又カーカスコードは、引張り荷重に十分に耐えうる。その結果、サイドウォール部３の曲げ剛性を十分に高めることができ、ランフラット走行時のタイヤの縦撓みを抑制することができる。即ち、ランフラット性能（操縦安定性と耐久性）を発揮することが可能となる。
【００２９】
前記サイド補強ゴム層１０では、複素弾性率Ｅ＊が６〜１２ＭＰａ、損失正接tanδが０．０２〜０．０５であるのが好ましい。前記複素弾性率Ｅ＊が６ＭＰａを下回ると、サイドウォール部３の曲げ剛性が不足してランフラット性能を低下させる傾向を招く。或いは、曲げ剛性を確保するために、サイド補強ゴム層１０のゴム厚さを大きくしなければならなくなってタイヤ質量の増加を招く。又蓄熱が高まりランフラット耐久性に不利となる。逆に、複素弾性率Ｅ＊が１２ＭＰａを超える、乗り心地性に不利を招くとともに、タイヤ形成時のゴムの加工性が低下し、生産性に悪影響を及ぼす。又損失正接tanδが０．０５を超えると、発熱が大となってランフラット耐久性に不利となる。逆に損失正接tanδが０．０２を下回ると、それに連れてゴム強度の低下を招くため、ランフラット耐久性に不利となる。
【００３０】
前記複素弾性率Ｅ＊、及び損失正接tanδは、ＪＩＳ−Ｋ６３９４の規定に準じて、次に示される条件で「粘弾性スペクトロメータ」を用いて測定した値である。初期歪み（１０％）、振幅（±１％）、周波数（１０Ｈｚ）、変形モード（引張）、測定温度（７０℃）。
【００３１】
前記サイド補強ゴム層１０の最大厚さＴｍは、タイヤのカテゴリやサイズによって相違するが、通常３〜２０ｍｍの範囲であり、乗用車用タイヤの場合６〜１２ｍｍの範囲が好適である。
【００３２】
又タイヤ内腔面には、空気非透過性のゴム材からなるインナーライナー１１が設けられる。本例のインナーライナー１１は、前記サイド補強ゴム層１０のタイヤ半径方向内端部１０Ｅ２と外端部１０Ｅ１との間では除去されている。具体的には、前記インナーライナー１１は、トレッド部２に位置する上のインナーライナ部１１ａと、ビード部４に位置する下のインナーライナ部１１ｂとに分割される。なお上のインナーライナ部１１ａのタイヤ軸方向外端部は、サイド補強ゴム層１０の外端部１０Ｅ１と重複部Ｙ３を形成する。又下のインナーライナ部１１ｂのタイヤ半径方向外端部は、サイド補強ゴム層１０の内端部１０Ｅ２と重複部Ｙ４を形成する。前記重複部Ｙ３、Ｙ４の重なり巾Ｗｙ３、Ｗｙ４は５〜１５ｍｍが好ましい。
【００３３】
この分割されたインナーライナー１１は、ランフラット走行時のサイド補強ゴム層１０の発熱をタイヤ内腔にスムーズに排出させ、サイド補強ゴム層１０の温度上昇を抑える。なお、インナーライナー１１の除去部分ではサイド補強ゴム層１０の厚さが十分高いので、タイヤ内腔の気密性（空気保持性）は確保される。前記重なり巾Ｗｙ３、Ｗｙ４が１５ｍｍを超えると、前記排熱効果が減じ、逆に５ｍｍを下回ると、気密性（空気保持性）に悪影響を与える。
【００３４】
次に、図２、３に示すように、前記ランフラットタイヤ１では、リムライン１２よりもタイヤ半径方向外側かつ前記サイドウォール部３の外表面３Ｓに、ディンプル形成領域Ｑａと、表示部形成領域Ｑｂとが設けられる。
【００３５】
前記リムライン１２とは、周知の如く、リム組み時に、タイヤとリムとが適正に組み合わされたかどうかを目視で判断できるように、ビード側の外表面に設けられたタイヤ周方向にのびる細い線である。このリムライン１２のビードベースラインＢＬからの半径方向高さＨ１は、一般的に、リムフランジ高さの約１．２倍の位置に形成されている。
【００３６】
前記ディンプル形成領域Ｑａは、冷却用のディンプル２０がタイヤ周方向に並ぶディンプル列２１が１列以上形成された領域である。本例では、前記ディンプル列２１が、タイヤ半径方向内外に５列形成された場合が示される。このようなディンプル２０は、表面積を増大させるとともに、走行中に空気の乱流を発生させて、より冷たい空気をサイドウォール部３の表面に接触させうる。これにより冷却効果を高める。前記ディンプル列２１が複数列配される場合には、タイヤ半径方向に隣り合うディンプル列２１同士は、ディンプル２０の配列の位相がタイヤ周方向に、例えば１／２ピッチで位置ずれするのが好ましい。これにより冷却効果が均一化されるため、ランフラット耐久性に好ましい。
【００３７】
前記ディンプル２０は、前記外表面３Ｓに凹設される窪みである。前記外表面３Ｓにおけるディンプル２０の開口形状としては、例えば円形状、正方形状、長方形状、六角形状など種々な形状が採用しうる。しかし乱流の発生効果、ひいては放熱効果の観点から、本例のようなタイヤ周方向に長い長方形がより好ましく採用しうる。なお多角形状（正方形状、長方形状、六角形状など）の場合には、図４（Ａ）に示すように、そのコーナ部Ｋを円弧２２で形成するのが、汚れを除去し易い点で好ましい。前記円弧２２の半径ｒは、小さ過ぎると汚れが詰まって除去し難くなり、逆に大き過ぎると円形状に近づくため放熱効果に不利となる。そのため前記半径ｒは、前記コーナ部Ｋをなす辺のうち、短い方の辺の長さＬの２５〜３５％程度が好ましい。なお多角形状の場合、その一辺の長さは２〜２０ｍｍが好ましく、又円形状の場合、その直径は２〜２０ｍｍが好ましい。又図４（Ｂ）に示すように、ディンプル２０ａの深さｈは０．５〜３．０ｍｍが好ましい。又ディンプル２０ａでは、クラック抑制のため、側面と底面との間は、半径０．７〜３．０ｍｍ程度の円弧で滑らかに接続するのが好ましい。
【００３８】
又前記表示部形成領域Ｑｂは、文字、記号、図形からなるマーキングを組み合わせた１以上の表示部２５が形成される領域であって、前記ディンプル形成領域Ｑａと前記リムライン１２との間に配される。前記マーキングは、従来と同様、前記外表面３Ｓ上に凹設することも又凸設することもできる。
【００３９】
この表示部２５としては、例えば、「サイズ表示」、「ブランド名表示」、「ＤＯＴステンシル表示」、「製造週表示」、「TUBELESS/TUBETYPE表示」、「ラジアル表示」、「スノータイヤ表示」、「REINFORCED/EXTRA LOAD表示」、「材料表示」、「最大許容内圧、最大負荷能力表示」、「国認証マーク表示」、「Ｅナンバー表示」、「セーフティーワーニング」、「ランフラット用注意書き」等が挙げられる。
【００４０】
（ａ）「サイズ表示」は、タイヤサイズの表示であって、例えば「185/70R14 88Ｓ」等として表記される。
（ｂ）「ブランド名表示」は、製品名や会社名の表示である。
（ｃ）「ＤＯＴステンシル表示」は、運輸省の安全基準を遵守していることを示す表示であって例えば「DOT  EU70AB」等として表記される。
（ｄ）「製造週表示」は、タイヤの製造年週などを示す表示であって、例えば「3408」等として表記される。なお工場コード、サイズコード、設計コード等と共に表記される場合が多い。
（ｅ）「TUBELESS/TUBETYPE表示」、「ラジアル表示」、「スノータイヤ表示」は、タイヤがTUBELESSタイヤ、TUBETYPEタイヤ、ラジアルタイヤ、スノータイヤであることを表記している。
（ｆ）「REINFORCED/EXTRA LOAD表示」は、ヨーロッパのEXTRA LOAD規格に適合したタイヤであることを表示し、例えば「REINFORCED」等として表記される。
（ｇ）「材料表示」は、タイヤの構成材料を示す表示である。
（ｈ）「最大許容内圧、最大負荷能力表示」は、タイヤの最大許容内圧、及び最大負荷能力を示す表示であって、例えば「MAX.PRESS.350KPa」「MAX.LOAD 800Kg」等として表記される。
（ｉ）「国認証マーク表示」は、国が承認したことを示す表示であって、例えばインドネシアのSNIマーク、中国のCCCSマーク等がある。
（ｊ）「Ｅナンバー表示」は、ヨーロッパが承認したことを示す表示であって、例えば「e4」等として表記される。
（ｋ）「セーフティーワーニング」は、タイヤ使用上の注意書きであり、又「ランフラット用注意書き」は、ランフラット走行時の注意書きである。
【００４１】
そして前記タイヤ１では、図３に示すように、前記表示部形成領域Ｑｂ内、しかも前記表示部２５の半径方向内側、外側、又は表示部２５、２５間に、冷却用の補助ディンプル３０からなる補助ディンプル形成部３１が設けられる。言い換えると、前記表示部２５の半径方向内側、外側、表示部２５、２５間に生じる空きスペースＳを利用し、この空きスペースＳに、前記冷却用の補助ディンプル３０からなる補助ディンプル形成部３１を形成してる。
【００４２】
この時、全ての空きスペースＳに、補助ディンプル形成部３１を形成する必要はなく、空きスペースＳの大きさなどに応じて、補助ディンプル形成部３１が形成される。一例として、前記図３には、「ローテーションマーク」の表示部２５Ａと、この表示部２５Ａに周方向一方側で隣り合う例えば「ブランド名表示」の表示部２５Ｂとの間に配される補助ディンプル形成部３１ａ、前記表示部２５Ａの半径方向内側に配される補助ディンプル形成部３１ｂ、及び前記表示部２５Ａと周方向他方側で隣り合う表示部２５Ｃ（図示しない）との間に配される補助ディンプル形成部３１ｃを含む場合が例示される。
【００４３】
前記外表面３Ｓにおける、前記補助ディンプル３０の開口形状としては、例えば円形状、正方形状、長方形状など種々な形状が採用しうる。例えば開口形状が円形状の場合、その直径が２〜２０mm、かつ深さが０．５〜３．０mmの範囲が好ましい。又開口形状が正方形状の場合、その一辺の長さが２〜２０mm、かつ深さが０．５〜３．０mmの範囲が好ましい。又開口形状が長方形状の場合、その半径方向の一辺の長さが２〜２０mm、周方向の一辺の長さが半径方向の一辺よりも大かつ２〜２０mm、しかも深さが０．５〜３．０mmの範囲が好ましい。
【００４４】
表示部形成領域Ｑｂに形成される全ての補助ディンプル３０は、開口形状及びサイズが同一であるのが、見栄えや冷却の均一性の観点から好ましい。しかし、空きスペースＳの大きさなどに応じて、補助ディンプル形成部３１毎に、補助ディンプル３０の開口形状及びサイズを相違させることもできる。例えば、開口形状が円形状の補助ディンプル３０ｐからなる円形補助ディンプル形成部、開口形状が正方形状の補助ディンプル３０ｑ（図示しない）からなる正方形補助ディンプル形成部、及び開口形状が長形状の補助ディンプル３０ｒからなる長方形補助ディンプル形成部のうちの２種以上を具えることができる。
【００４５】
又前記補助ディンプル形成部３１ａに示すように、補助ディンプル３０がタイヤ周方向に並ぶ補助ディンプル列部３０Ｌを、タイヤ半径方向に２列以上形成することもできる。この場合、タイヤ半径方向に隣り合う補助ディンプル列部３０Ｌ同士は、補助ディンプル３０の配列の位相がタイヤ周方向に、好ましくは１／２ピッチで位置ずれさせるのが好ましい。これにより配置密度が高まるとともに、冷却効果が均一がされるため、ランフラット耐久性に好ましい。
【００４６】
又前記表示部２５の視認性を確保するために、補助ディンプル３０と、この補助ディンプル３０に最も近いマーキングＭとの間隔Ｄを１mm以上、さらには２mm以上確保するのが好ましい。
【００４７】
以上、本発明の特に好ましい実施形態について詳述したが、本発明は図示の実施形態に限定されることなく、種々の態様に変形して実施しうる。
【実施例】
【００４８】
図１に示す構造をなすランフラットタイヤ（タイヤサイズ２３５／５５Ｒ１８）を、表１の仕様で試作した。そして各試供タイヤのランフラット耐久性をテストし互いに比較した。各タイヤの内部構造は実質的に同一であり。なおディンプル２０としては、半径方向長さ８．８mm、周方向長さ２０．０mm、深さ３ｍｍの横長の長方形状のディンプル２０を採用している。ディンプル列２１の列数は５列である。又前記リムライン１２から、タイヤ半径方向最内側のディンプル列２１のタイヤ半径方向内端までの表示部形成領域高さＨａ（図３に示す）は２５mmである。なお補助ディンプルは、表示部形成領域Ｑｂ内において、マーキングＭとの間隔Dが１mm以下にならない範囲で、形成可能な最大数が形成されている。
【００４９】
（１）ランフラット耐久性：
ドラム走行試験機を用い、正規リムにリム組みされた試供用ランフラットタイヤを、速度８０ｋｍ／ｈ、内圧０ｋＰａ、縦荷重５．２ｋＮの条件にてタイヤを走行させた。そしてタイヤから異音が発生するまでの走行距離を、比較例１を１００とする指数で評価している。指数が大なほど耐久性に優れている。
【００５０】
【表１】
2014037215.tif 000003
2014037215.tif 000004
2014037215.tif 000005
【００５１】
（ア）比較例１は、表示部形成領域に補助ディンプルを設けない従来例である。
（イ）比較例２は、表示部形成領域を設けず、リムラインに沿ってディンプル形成領域を形成している。そのため、ランフラット耐久性には優れるものの法規には適合していない。
（ウ）実施例２に示されるように、表示部形成領域高さＨａに制限があるため、補助ディンプルの直径は２０mmが限度である。
（エ）実施例１〜３に示されるように、実施例３では、補助ディンプルの直径が５mmと小さく、補助ディンプルの形成スペースを大きく確保しうるため、ランフラット耐久性に好ましい。なお実施例２は、補助ディンプルの直径が２０mmと大きいため形成スペースは少ないが、１つ１つの補助ディンプルの冷却効果が大きいため、実施例１と同程度のランフラット耐久性が発揮されている。
（オ）実施例３〜７に示されるように、補助ディンプルの深さは、浅過ぎても又深過ぎてもランフラット耐久性の向上効果は低下傾向となる。前記深さは１〜３mmが好ましいのが確認できる。
（カ）補助ディンプルの直径は２mmが加工限界であるが、実施例８に示されるように、直径２mmでもランフラット耐久性に効果はある。
（キ）実施例９〜１６に示されるように、補助ディンプルの開口形状は、円形状よりも正方形状の方が若干ランフラット耐久性の向上効果に優れる。
（ク）実施例１７〜１９に示されるように、補助ディンプルの開口形状は、長方形状でも同様の効果が発揮される。
（ケ）実施例３、１１、１８、２０〜２２に示されるように、補助ディンプル列部が複数列ある場合、位相のズレがある方が、冷却効果が均一化されるためランフラット耐久性の向上効果に優れる。
（コ）実施例２３に示されるように、表示部形成領域Ｑｂ内の空きスペースＳに合わせて、補助ディンプルの開口形状及び大きさを変化させることで、補助ディンプルの形成スペースを最大限確保できる。そのため、ランフラット耐久性の向上効果をより高く発揮できる。
（サ）実施例２４は、補助ディンプルと表記部のマーキングとの間隔Dを１０mm確保しながら補助ディンプルの開口形状及び大きさを変化させた例である。この場合にも、ランフラット耐久性の向上効果を発揮できる。
【符号の説明】
【００５２】
１      ランフラットタイヤ
２      トレッド部
３      サイドウォール部
３Ｓ      外表面
４      ビード部
５      ビードコア
６      カーカス
１０      サイド補強ゴム層
１２      リムライン
２０      ディンプル
２１      ディンプル列
２５      表示部
３０   補助ディンプル
３１   補助ディンプル形成部
Ｍ     マーキング
Ｑａ   ディンプル形成領域
Ｑｂ   表示部形成領域
【図１】
2014037215.tif 000006
【図２】
2014037215.tif 000007
【図３】
2014037215.tif 000008
【図４】
2014037215.tif 000009